(57)【要約】【課題】上位端末機を含むシステム全体での開発工数を低減することが可能となる貨幣処理機およびその制御方法を提供する。【解決手段】入金収納コマンド信号を上位端末機２Ａ，２Ｂから受信すると、予め設定された所定待ち時間の期間、一時貯留部から収納部への貨幣の収納処理動作を保留すると共に次の出金指示に係る出金コマンド信号の受信の有無を確認し、当該出金コマンド信号の受信があった場合には、当該出金コマンド信号による出金処理動作を優先して実行し、当該出金処理動作が終了した後に、前記収納処理動作を実行する。【選択図】図１
2020187629.tif 000002
【特許請求の範囲】
【請求項１】
貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機であって、
前記入金収納コマンド信号を前記上位端末機から受信すると、予め設定された所定待ち時間の期間、前記収納処理動作を保留すると共に次の出金指示に係る出金関連コマンド信号の受信の有無を確認し、当該出金関連コマンド信号の受信があった場合には、当該出金関連コマンド信号による出金処理動作を優先して実行し、当該出金処理動作が終了した後に、前記収納処理動作を実行する入出金制御部を備えたことを特徴とする貨幣処理機。
【請求項２】
前記上位端末機が複数台接続されて、これら上位端末機にシェアされる場合には、取引操作の対象外となる前記上位端末機に対して、前記入出金制御部は前記所定待ち時間の期間、他方占有中のステータスを通知して取引不可とすることを特徴とする請求項１記載の貨幣処理機。
【請求項３】
貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機であって、
前記入金収納コマンド信号を前記上位端末機から受信すると、前記収納処理動作を実行すると共に、次の出金指示に係る出金関連コマンド信号の受信の有無を確認し、当該出金関連コマンド信号の受信があった場合には前記収納処理動作を中断し、当該出金関連コマンド信号による出金処理動作を優先して実行し、当該出金処理動作が終了した後に、前記収納処理動作を再開して実行する入出金制御部を備えたことを特徴とする貨幣処理機。
【請求項４】
貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機であって、
釣銭ありの前記入金収納コマンド信号を前記上位端末機から受信すると、前記収納処理動作を保留すると共に次の出金指示に係る出金関連コマンド信号の受信の有無を確認し、当該出金関連コマンド信号の受信があると、当該出金関連コマンド信号による出金処理動作を優先して実行し、当該出金処理動作が終了した後に、前記収納処理動作を実行する入出金制御部を備えたことを特徴とする貨幣処理機。
【請求項５】
貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機の制御方法であって、
前記入金収納コマンド信号を前記上位端末機から受信すると、予め設定された所定待ち時間の期間、前記収納処理動作を保留すると共に次の出金指示に係る出金関連コマンド信号の受信の有無を確認し、当該出金関連コマンド信号の受信があった場合には、当該出金関連コマンド信号による出金処理動作を優先して実行し、当該出金処理動作が終了した後に、前記収納処理動作を実行することを特徴とする貨幣処理機の制御方法。
【請求項６】
貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機の制御方法であって、
前記入金収納コマンド信号を前記上位端末機から受信すると、前記収納処理動作を実行すると共に、次の出金指示に係る出金関連コマンド信号の受信の有無を確認し、当該出金関連コマンド信号の受信があった場合には前記収納処理動作を中断し、当該出金関連コマンド信号による出金処理動作を優先して実行し、当該出金処理動作が終了した後に、前記収納処理動作を再開して実行することを特徴とする貨幣処理機の制御方法。
【請求項７】
貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機の制御方法であって、
釣銭ありの前記入金収納コマンド信号を前記上位端末機から受信すると、前記収納処理動作を保留すると共に次の出金指示に係る出金関連コマンド信号の受信の有無を確認し、当該出金関連コマンド信号の受信があると、当該出金関連コマンド信号による出金処理動作を優先して実行し、当該出金処理動作が終了した後に、前記収納処理動作を実行することを特徴とする貨幣処理機の制御方法。
【発明の詳細な説明】
【技術分野】
【０００１】
本発明は、貨幣の入出金処理を行う貨幣処理機およびその制御方法に関する。
【背景技術】
【０００２】
貨幣処理機においては、釣銭のある取引において顧客を待たせる時間を大幅に短縮できると共に、テラー処理のスムーズな実行を可能にする処理効率のよい現金自動取引装置の発明が知られている（例えば、特許文献１参照）。
【先行技術文献】
【特許文献】
【０００３】
【特許文献１】特開昭６２−１９９９３号公報
【発明の概要】
【発明が解決しようとする課題】
【０００４】
上記特許文献１の発明によれば、その解決手段として、入出金機に投入された紙幣のうちの入金すべき紙幣を各金庫に収納させるコマンド信号の前に、釣銭を出金させるコマンド信号を入出金機に対して送信するようにコマンド信号のシ−ケンスの順番そのものを変更するという制御面での制約が生じている。
【０００５】
ところで、貨幣処理機は、例えば窓口の自動取引機では接続される上位側であるテラー操作卓側のコマンド信号のシーケンスに基づいて、また例えば釣銭機では接続される上位側であるＰＯＳ端末側のコマンド信号のシーケンスに基づいて、それぞれ動作制御が行われるように設計されている。そして、当該シーケンスは標準化されたものも多いため、上記特許文献１に示されるように上位側であるテラー操作卓側やＰＯＳ端末側のコマンド信号のシーケンスを変更することは現実的には実施困難であるという課題が存在する。さらには、仮に、上位側であるテラー操作卓側やＰＯＳ端末側のコマンド信号のシーケンスを変更した場合であっても、結局は、それに整合するように貨幣処理機側の制御シーケンスの変更も伴うことになり、システム全体での開発工数が大きくなってしまうという課題も存在する。
【０００６】
したがって、本発明は、上位端末機を含むシステム全体での開発工数を低減することが可能となる貨幣処理機およびその制御方法の提供を目的とする。
【課題を解決するための手段】
【０００７】
上記目的を達成するために、本発明に係る第１の態様は、貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機であって、前記入金収納コマンド信号を前記上位端末機から受信すると、予め設定された所定待ち時間の期間、前記収納処理動作を保留すると共に次の出金指示に係る出金関連コマンド信号の受信の有無を確認し、当該出金関連コマンド信号の受信があった場合には、当該出金関連コマンド信号による出金処理動作を優先して実行し、当該出金処理動作が終了した後に、前記収納処理動作を実行する入出金制御部を備えたことを特徴とする。
【０００８】
上記第１の態様によれば、入出金制御部は、入金収納コマンド信号を上位端末機から受信すると、予め設定された所定待ち時間の期間、収納処理動作を保留すると共に次の出金指示に係る出金関連コマンド信号の受信の有無を確認し、出金関連コマンド信号の受信があった場合には、この出金関連コマンド信号による出金処理動作を優先して実行し、この出金処理動作が終了した後に、収納処理動作を実行する。よって、出金された貨幣を受けとるための顧客の待ち時間を短縮できるようになる。また、上位端末機側のコマンド信号のシーケンスを変更せず、貨幣処理機側の制御シーケンスを変更すれば良いので、上位端末機を含むシステム全体での開発工数を低減することが可能となる。つまり、システム全体での開発工数を大きくすることなく比較的に簡易に、釣銭のある取引において顧客を待たせる時間を短縮できるようになる。
【０００９】
本発明に係る第２の態様は、第１の態様において、前記上位端末機が複数台接続されて、これら上位端末機にシェアされる場合には、取引操作の対象外となる前記上位端末機に対して、前記入出金制御部は前記所定待ち時間の期間、他方占有中のステータスを通知して取引不可とすることを特徴とする。
【００１０】
上記第２の態様によれば、入出金制御部は、取引操作の対象外となる上位端末機に対して、所定待ち時間の期間、他方占有中のステータスを通知して取引不可とするため、まだ一の上位端末機との取引が完結する前に、他の上位端末機から割り込まれることを防止できる。
【００１１】
本発明に係る第３の態様は、貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機であって、前記入金収納コマンド信号を前記上位端末機から受信すると、前記収納処理動作を実行すると共に、次の出金指示に係る出金関連コマンド信号の受信の有無を確認し、当該出金関連コマンド信号の受信があった場合には前記収納処理動作を中断し、当該出金関連コマンド信号による出金処理動作を優先して実行し、当該出金処理動作が終了した後に、前記収納処理動作を再開して実行する入出金制御部を備えたことを特徴とする。
【００１２】
上記第３の態様によれば、入出金制御部は、入金収納コマンド信号を上位端末機から受信すると、収納処理動作を実行すると共に、次の出金指示に係る出金関連コマンド信号の受信の有無を確認し、出金関連コマンド信号の受信があった場合には収納処理動作を中断し、この出金関連コマンド信号による出金処理動作を優先して実行し、この出金処理動作が終了した後に、収納処理動作を再開して実行する。よって、出金された貨幣を受けとるための顧客の待ち時間を短縮できるようになる。また、上位端末機側のコマンド信号のシーケンスを変更せず、貨幣処理機側の制御シーケンスを変更すれば良いので、上位端末機を含むシステム全体での開発工数を低減することが可能となる。つまり、システム全体での開発工数を大きくすることなく比較的に簡易に、釣銭のある取引において顧客を待たせる時間を短縮できるようになる。さらに、出金関連コマンド信号の受信を待機する間に収納処理動作を進めておくことができるため、出金処理動作が終了した後に再開される収納処理動作に要する時間を短くすることができる。
【００１３】
本発明に係る第４の態様は、貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機であって、釣銭ありの前記入金収納コマンド信号を前記上位端末機から受信すると、前記収納処理動作を保留すると共に次の出金指示に係る出金関連コマンド信号の受信の有無を確認し、当該出金関連コマンド信号の受信があると、当該出金関連コマンド信号による出金処理動作を優先して実行し、当該出金処理動作が終了した後に、前記収納処理動作を実行する入出金制御部を備えたことを特徴とする。
【００１４】
上記第４の態様によれば、入出金制御部は、釣銭ありの入金収納コマンド信号を上位端末機から受信すると、収納処理動作を保留すると共に次の出金指示に係る出金関連コマンド信号の受信の有無を確認し、出金関連コマンド信号の受信があると、この出金関連コマンド信号による出金処理動作を優先して実行し、この出金処理動作が終了した後に、収納処理動作を実行する。よって、出金された貨幣を受けとるための顧客の待ち時間を短縮できるようになる。また、上位端末機側のコマンド信号のシーケンスを変更せず、貨幣処理機側の制御シーケンスを変更すれば良いので、上位端末機を含むシステム全体での開発工数を低減することが可能となる。つまり、システム全体での開発工数を大きくすることなく比較的に簡易に、釣銭のある取引において顧客を待たせる時間を短縮できるようになる。
【００１５】
本発明に係る第５の態様は、貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機の制御方法であって、前記入金収納コマンド信号を前記上位端末機から受信すると、予め設定された所定待ち時間の期間、前記収納処理動作を保留すると共に次の出金指示に係る出金関連コマンド信号の受信の有無を確認し、当該出金関連コマンド信号の受信があった場合には、当該出金関連コマンド信号による出金処理動作を優先して実行し、当該出金処理動作が終了した後に、前記収納処理動作を実行することを特徴とする。
【００１６】
上記第５の態様によれば、入金収納コマンド信号を上位端末機から受信すると、予め設定された所定待ち時間の期間、収納処理動作を保留すると共に次の出金指示に係る出金関連コマンド信号の受信の有無を確認し、出金関連コマンド信号の受信があった場合には、この出金関連コマンド信号による出金処理動作を優先して実行し、この出金処理動作が終了した後に、収納処理動作を実行する。よって、出金された貨幣を受けとるための顧客の待ち時間を短縮できるようになる。また、上位端末機側のコマンド信号のシーケンスを変更せず、貨幣処理機側の制御シーケンスを変更すれば良いので、上位端末機を含むシステム全体での開発工数を低減することが可能となる。つまり、システム全体での開発工数を大きくすることなく比較的に簡易に、釣銭のある取引において顧客を待たせる時間を短縮できるようになる。
【００１７】
本発明に係る第６の態様は、貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機の制御方法であって、前記入金収納コマンド信号を前記上位端末機から受信すると、前記収納処理動作を実行すると共に、次の出金指示に係る出金関連コマンド信号の受信の有無を確認し、当該出金関連コマンド信号の受信があった場合には前記収納処理動作を中断し、当該出金関連コマンド信号による出金処理動作を優先して実行し、当該出金処理動作が終了した後に、前記収納処理動作を再開して実行することを特徴とする。
【００１８】
上記第６の態様によれば、入金収納コマンド信号を上位端末機から受信すると、収納処理動作を実行すると共に、次の出金指示に係る出金関連コマンド信号の受信の有無を確認し、出金関連コマンド信号の受信があった場合には収納処理動作を中断し、この出金関連コマンド信号による出金処理動作を優先して実行し、この出金処理動作が終了した後に、収納処理動作を再開して実行する。よって、出金された貨幣を受けとるための顧客の待ち時間を短縮できるようになる。また、上位端末機側のコマンド信号のシーケンスを変更せず、貨幣処理機側の制御シーケンスを変更すれば良いので、上位端末機を含むシステム全体での開発工数を低減することが可能となる。つまり、システム全体での開発工数を大きくすることなく比較的に簡易に、釣銭のある取引において顧客を待たせる時間を短縮できるようになる。さらに、出金関連コマンド信号の受信を待機する間に収納処理動作を進めておくことができるため、出金処理動作が終了した後に再開される収納処理動作に要する時間を短くすることができる。
【００１９】
本発明に係る第７の態様は、貨幣の取引操作が行われる上位端末機に接続され、入金口に投入された貨幣を識別および計数しつつ一時貯留部に貯留させると共に、入金計数金額が確定した後の入金収納コマンド信号を前記上位端末機から受信すると、前記一時貯留部から収納部への貨幣の収納処理動作を行う貨幣処理機の制御方法であって、釣銭ありの前記入金収納コマンド信号を前記上位端末機から受信すると、前記収納処理動作を保留すると共に次の出金指示に係る出金関連コマンド信号の受信の有無を確認し、当該出金関連コマンド信号の受信があると、当該出金関連コマンド信号による出金処理動作を優先して実行し、当該出金処理動作が終了した後に、前記収納処理動作を実行することを特徴とする。
【００２０】
上記第７の態様によれば、釣銭ありの入金収納コマンド信号を上位端末機から受信すると、収納処理動作を保留すると共に次の出金指示に係る出金関連コマンド信号の受信の有無を確認し、出金関連コマンド信号の受信があると、この出金関連コマンド信号による出金処理動作を優先して実行し、この出金処理動作が終了した後に、収納処理動作を実行する。よって、出金された貨幣を受けとるための顧客の待ち時間を短縮できるようになる。また、上位端末機側のコマンド信号のシーケンスを変更せず、貨幣処理機側の制御シーケンスを変更すれば良いので、上位端末機を含むシステム全体での開発工数を低減することが可能となる。つまり、システム全体での開発工数を大きくすることなく比較的に簡易に、釣銭のある取引において顧客を待たせる時間を短縮できるようになる。
【発明の効果】
【００２１】
本発明によれば、上位端末機を含むシステム全体での開発工数を低減することが可能となる貨幣処理機およびその制御方法を提供することができる。
【図面の簡単な説明】
【００２２】
【図１】本発明に係る一実施形態の貨幣処理機を含む現金処理システムを示す正面図である。
【図２】本発明に係る一実施形態の貨幣処理機の紙幣処理部を概略的に示すブロック図である。
【図３】本発明に係る一実施形態の貨幣処理機の硬貨処理部を概略的に示すブロック図である。
【図４】本発明に係る一実施形態の貨幣処理機の端末機制御部の制御内容を示すフローチャートである。
【図５】本発明に係る一実施形態の貨幣処理機の端末機制御部の制御内容を示すフローチャートである。
【図６】本発明に係る一実施形態の貨幣処理機の端末機制御部の制御内容を示すフローチャートである。
【図７】本発明に係る一実施形態の貨幣処理機の入出金制御部の通常モードおよび後収納モードの制御内容を示すフローチャートである。
【図８】本発明に係る一実施形態の貨幣処理機の入出金制御部の通常モードの制御内容を示すフローチャートである。
【図９】本発明に係る一実施形態の貨幣処理機の入出金制御部の通常モードの制御内容を示すフローチャートである。
【図１０】本発明に係る一実施形態の貨幣処理機の入出金制御部の通常モードの制御内容を示すフローチャートである。
【図１１】本発明に係る一実施形態の貨幣処理機の入出金制御部の後収納モードの制御内容を示すフローチャートである。
【図１２】本発明に係る一実施形態の貨幣処理機の入出金制御部の後収納モードの制御内容を示すフローチャートである。
【図１３】本発明に係る一実施形態の貨幣処理機の入出金制御部の後収納モードの制御内容を示すフローチャートである。
【図１４】本発明に係る一実施形態の貨幣処理機の入出金制御部の後収納モードの制御内容を示すフローチャートである。
【発明を実施するための形態】
【００２３】
本発明の一実施形態に係る貨幣処理機を図面を参照して以下に説明する。
【００２４】
本実施形態の貨幣処理機は、金融機関の窓口に設置されて二名の窓口操作員（テラー）によって使用されるものである。なお、以下の左右は、貨幣処理機等を窓口操作員側から見た左右である。
【００２５】
本実施形態の貨幣処理機１は、図１に示すように、左右二名の窓口操作員Ａ，Ｂで一台が共用されるものであり、左右二名の窓口操作員Ａ，Ｂに対して設けられた左右二機の上位端末機２Ａ，２Ｂに通信Ｉ／Ｆを介して接続されている。貨幣処理機１は、上位端末機２Ａ，２Ｂとで現金処理システム３を構成する。
【００２６】
左側の窓口操作員Ａ用の左側の上位端末機２Ａ及び右側の窓口操作員Ｂ用の右側の上位端末機２Ｂは、いずれもパーソナルコンピュータ等からなるもので、いずれも貨幣の取引操作が行われる。左側の上位端末機２Ａは、左側の窓口操作員Ａに対して設けられた左側のカウンタ４Ａの上に設置され、右側の上位端末機２Ｂは、右側の窓口操作員Ｂに対して設けられた右側のカウンタ４Ｂの上に設置される。
【００２７】
上位端末機２Ａは、対応する窓口操作員Ａにより操作入力が行われるキーボード等からなる端末機操作部５Ａと、対応する窓口操作員Ａに対して表示を行う液晶モニタ等からなる端末機表示部６Ａと、端末機操作部５Ａからの信号に基づいて、端末機表示部６Ａの表示画面等を制御すると共に各種コマンド信号を貨幣処理機１に送信する端末機本体７Ａとを有している。端末機本体７Ａは、各部を制御する端末機制御部８Ａを備えている。
【００２８】
上位端末機２Ｂも、同様に、端末機操作部５Ｂと、端末機表示部６Ｂと、端末機制御部８Ｂを含む端末機本体７Ｂとを有している。
【００２９】
本実施形態の貨幣処理機１は、処理機本体１１と、カルトン１２とを有している。カルトン１２は、処理機本体１１とは別体であり、処理機本体１１のカルトン配置部１４に配置可能であって、カルトン配置部１４から引き抜き可能である。カルトン配置部１４には、カルトン配置部１４に配置されたカルトン１２を抜き出し不可にロックするカルトンロック部１５が設けられている。
【００３０】
処理機本体１１には、処理機本体１１が左側の窓口操作員Ａ、すなわち上位端末機２Ａに占有された状態にあることを点灯することにより表示する占有ランプ１６Ａが左側に設けられている。また、処理機本体１１が右側の窓口操作員Ｂ、すなわち上位端末機２Ｂに占有された状態にあることを点灯することにより表示する占有ランプ１６Ｂが右側に設けられている。また、処理機本体１１には、これが上位端末機２Ａに占有された状態にあると操作を受け付ける状態となる処理機操作部１７Ａが左側に、これが上位端末機２Ｂに占有された状態にあると操作を受け付ける状態となる処理機操作部１７Ｂが右側に、それぞれ設けられている。
【００３１】
処理機本体１１は、貨幣のうちの紙幣の入出金処理を行う図２に示す紙幣処理部１８と、貨幣のうちの硬貨の入出金処理を行う図３に示す硬貨処理部１９とを有している。
【００３２】
紙幣処理部１８は、機外から入金紙幣が投入される紙幣入金口２０と、紙幣入金口２０に投入され紙幣入金口２０から一枚ずつ繰り出された紙幣を識別しつつ計数する紙幣入金識別部２１と、紙幣入金識別部２１の識別結果に基づいて紙幣を複数の方向に振り分ける紙幣入金振分部２２と、紙幣入金識別部２１で受け入れ可能と識別されて紙幣入金振分部２２で一方に案内された受入紙幣を一時貯留させる紙幣一時貯留部２３とを有している。また、紙幣処理部１８は、紙幣入金識別部２１で受け入れ不可と識別されて紙幣入金振分部２２で他方に案内された偽紙幣を含む受入不可紙幣を機外に取り出し可能に排除する紙幣出金口２４と、紙幣入金振分部２２でさらに他方に案内された再利用不可紙幣を繰り出し不可つまり出金不可に収納する紙幣機内リジェクト部２５とを有している。
【００３３】
紙幣一時貯留部２３は、一時貯留した紙幣を一枚ずつ分離して繰り出すことになり、紙幣処理部１８は、紙幣一時貯留部２３から繰り出された紙幣を紙幣出金口２４と紙幣入金識別部２１とに振り分ける紙幣返却振分部３１を有している。上記した紙幣入金振分部２２は、紙幣一時貯留部２３から紙幣返却振分部３１を介して紙幣入金識別部２１に案内された紙幣を再利用不可紙幣と再利用紙幣とに振り分けて、再利用紙幣をさらに金種別に振り分けることになる。再利用不可紙幣は、真紙幣であるものの損傷および汚れのうちの少なくともいずれか一方が所定レベルを超えているものである。紙幣処理部１８は、このように紙幣入金振分部２２で振り分けられた再利用紙幣を出金可能に金種別に収納する複数の紙幣収納部３２を有している。複数の紙幣収納部３２には、それぞれが再利用紙幣を一枚ずつ分離して計数しつつ繰り出す紙幣計数繰出部３３が設けられている。
【００３４】
紙幣処理部１８は、金種別の紙幣収納部３２から紙幣計数繰出部３３で繰り出された紙幣を計数しつつ識別して重送や斜行等の異常搬送等を検出する紙幣出金識別部４１と、紙幣出金識別部４１で識別後の紙幣をその識別結果に基づいて三方向に振り分ける紙幣出金振分部４２と、紙幣出金振分部４２で一方に案内された紙幣を収納する紙幣回収金庫４３とを有している。紙幣出金振分部４２は、紙幣を、紙幣回収金庫４３と紙幣出金口２４と紙幣機内リジェクト部２５とに選択的に案内する。
【００３５】
硬貨処理部１９は、機外から入金硬貨が投入される硬貨入金口５０と、硬貨入金口５０に投入され硬貨入金口５０から繰り出された硬貨を識別しつつ計数する硬貨入金識別部５１と、硬貨入金識別部５１の識別結果に基づいて硬貨を二方向に振り分ける硬貨入金振分部５２とを有している。また、硬貨処理部１９は、硬貨入金識別部５１で受け入れ可能と識別されて硬貨入金振分部５２で一方に案内された受入硬貨を一時貯留させる硬貨一時貯留部５３と、硬貨入金識別部５１で受け入れ不可と識別されて硬貨入金振分部５２で他方に案内された偽硬貨を含む受入不可硬貨を機外に取り出し可能に排除する硬貨入金リジェクト口５４とを有している。
【００３６】
硬貨一時貯留部５３は、一時貯留した受入硬貨を一枚ずつ分離して繰り出すことになり、硬貨処理部１９は、硬貨一時貯留部５３から繰り出された受入硬貨を二方向に振り分ける硬貨返却振分部６１と、硬貨返却振分部６１で一方に案内された受入硬貨を機外に取り出し可能に放出する硬貨放出口６２と、硬貨返却振分部６１で他方に案内された受入硬貨を識別しつつ計数する硬貨収納識別部６３と、を有している。硬貨処理部１９は、硬貨収納識別部６３の識別結果に基づいて受入硬貨を再利用不可硬貨と再利用硬貨とに振り分けて、再利用硬貨をさらに金種別に振り分ける硬貨金種別振分部６４と、硬貨金種別振分部６４で一方に案内された再利用不可硬貨を繰り出し不可つまり出金不可に収納する硬貨機内リジェクト部６５と、硬貨金種別振分部６４で金種別に振り分けられた再利用硬貨を金種別に収納する複数の硬貨収納部６６とを有している。硬貨収納部６６は再利用硬貨を出金可能に収納する。金種別の硬貨収納部６６は、それぞれが、硬貨を一枚ずつ分離して計数しつつ繰り出す硬貨計数繰出部６７を有している。再利用不可硬貨は、真硬貨であるものの損傷および汚れのうちの少なくともいずれか一方が所定レベルを超えているものである。
【００３７】
硬貨処理部１９は、金種別の硬貨収納部６６から硬貨計数繰出部６７で繰り出された硬貨を識別しつつ計数する硬貨出金識別部７０と、硬貨出金識別部７０で識別後の硬貨をその識別結果に基づいて三方向に振り分ける硬貨出金振分部７１と、硬貨出金振分部７１で一方に案内された硬貨を収納する硬貨回収金庫７２とを有している。硬貨出金振分部７１は、硬貨を、硬貨回収金庫７２と硬貨放出口６２と硬貨機内リジェクト部６５とに選択的に案内する。
【００３８】
図１に示すように、処理機本体１１は、その全体を制御する入出金制御部８１を有しており、入出金制御部８１は、上位端末機２Ａ，２Ｂの端末機制御部８Ａ，８Ｂと通信Ｉ／Ｆを介して通信可能に接続されている。
【００３９】
図２に示す紙幣処理部１８は、例えば、以下の紙幣入金処理動作、紙幣収納処理動作、紙幣返却処理動作および紙幣出金処理動作を行う。
【００４０】
「紙幣入金処理動作」
紙幣入金口２０に機外から投入された紙幣を紙幣入金口２０から一枚ずつ分離して機内へ繰り出し、紙幣入金識別部２１で識別および計数する。そして、紙幣入金識別部２１で、受け入れ可能と識別された受入紙幣を紙幣入金振分部２２で紙幣一時貯留部２３に搬送し、紙幣入金識別部２１で受け入れ不可と識別された受入不可紙幣を紙幣入金振分部２２で紙幣出金口２４に搬送する。紙幣出金口２４に搬送された受入不可紙幣は機外に取り出し可能となる。よって、貨幣処理機１は、紙幣入金口２０に投入された紙幣を識別および計数しつつ紙幣一時貯留部２３に貯留させる。
【００４１】
「紙幣収納処理動作」
入金計数金額が確定した後の入金収納コマンド信号を上位端末機２Ａ，２Ｂの対応するものから受信すると、紙幣処理部１８は、紙幣一時貯留部２３から紙幣を一枚ずつ分離して繰り出し、紙幣返却振分部３１で紙幣入金識別部２１に搬送し紙幣入金識別部２１で識別する。そして、紙幣入金識別部２１で再利用可能と識別された再利用紙幣を、紙幣入金振分部２２によって金種別の紙幣収納部３２のうちの対応する金種のものに案内して収納する。また、紙幣入金識別部２１で再利用不可と識別された再利用不可紙幣を、紙幣入金振分部２２によって紙幣機内リジェクト部２５に案内して収納する。よって、貨幣処理機１は、入金計数金額が確定した後の入金収納コマンド信号を上位端末機２Ａ，２Ｂの対応するものから受信すると、紙幣一時貯留部２３から金種別の紙幣収納部３２への紙幣の収納処理動作を行う。
【００４２】
「紙幣返却処理動作」
入金計数金額が確定した後の入金キャンセル信号を上位端末機２Ａ，２Ｂの対応するものから受信すると、紙幣処理部１８は、紙幣一時貯留部２３から紙幣を一枚ずつ分離して繰り出し、紙幣返却振分部３１によって紙幣出金口２４に搬送して機外に取り出し可能とする。
【００４３】
「紙幣出金処理動作」
出金コマンド信号を上位端末機２Ａ，２Ｂの対応するものから受信すると、紙幣処理部１８は、金種別の紙幣収納部３２の対応する金種のものから紙幣計数繰出部３３で紙幣を計数しつつ繰り出し、紙幣出金識別部４１で識別しつつ計数し、紙幣出金識別部４１で正常搬送の再利用可能と識別された再利用紙幣を紙幣出金振分部４２で紙幣出金口２４に放出して取り出し可能とする。このとき、紙幣出金識別部４１で識別できなかったり、紙幣出金識別部４１で重送や斜行等の異常搬送と識別されたり、再利用不可と識別された再利用不可紙幣を紙幣出金振分部４２で紙幣機内リジェクト部２５に収納する。
【００４４】
図３に示す硬貨処理部１９は、例えば、以下の硬貨入金処理動作、硬貨収納処理動作、硬貨返却処理動作および硬貨出金処理動作を行う。
【００４５】
「硬貨入金処理動作」
硬貨入金口５０に機外から投入された硬貨を硬貨入金口５０から一枚ずつ分離して機内へ繰り出し、硬貨入金識別部５１で識別および計数する。そして、硬貨入金識別部５１で受け入れ可能と識別された受入硬貨を硬貨入金振分部５２で硬貨一時貯留部５３に搬送し、硬貨入金識別部５１で受け入れ不可と識別された受入不可硬貨を硬貨入金振分部５２で硬貨入金リジェクト口５４に搬送する。硬貨入金リジェクト口５４に搬送された受入不可硬貨は機外に取り出し可能となる。よって、貨幣処理機１は、硬貨入金口５０に投入された硬貨を識別および計数しつつ硬貨一時貯留部５３に貯留させる。
【００４６】
「硬貨収納処理動作」
入金計数金額が確定した後の入金収納コマンド信号を上位端末機２Ａ，２Ｂの対応するものから受信すると、硬貨処理部１９は、硬貨一時貯留部５３から硬貨を一枚ずつ分離して繰り出し、硬貨返却振分部６１で硬貨収納識別部６３に搬送し硬貨収納識別部６３で識別する。そして、硬貨収納識別部６３で再利用可能と識別された再利用硬貨を、硬貨金種別振分部６４によって金種別の硬貨収納部６６のうちの対応する金種のものに案内して収納する。また、硬貨収納識別部６３で再利用不可と識別された再利用不可硬貨を、硬貨金種別振分部６４によって硬貨機内リジェクト部６５に案内して収納する。よって、貨幣処理機１は、入金計数金額が確定した後の入金収納コマンド信号を上位端末機２Ａ，２Ｂの対応するものから受信すると、硬貨一時貯留部５３から金種別の硬貨収納部６６への硬貨の収納処理動作を行う。
【００４７】
「硬貨返却処理動作」
入金計数金額が確定した後の入金キャンセル信号を上位端末機２Ａ，２Ｂの対応するものから受信すると、硬貨処理部１９は、硬貨一時貯留部５３から硬貨を一枚ずつ分離して繰り出し、硬貨返却振分部６１によって硬貨放出口６２に搬送しカルトン１２に放出して機外に取り出し可能とする。
【００４８】
「硬貨出金処理動作」
出金コマンド信号を上位端末機２Ａ，２Ｂの対応するものから受信すると、硬貨処理部１９は、金種別の硬貨収納部６６の対応する金種のものから硬貨計数繰出部６７で硬貨を計数しつつ繰り出し、硬貨出金識別部７０で識別しつつ計数し、硬貨出金識別部７０で再利用可能と識別された再利用硬貨を硬貨出金振分部７１で硬貨放出口６２に搬送しカルトン１２に放出して機外に取り出し可能とする。このとき、硬貨出金識別部７０で、識別できなかったり、再利用不可と識別された再利用不可硬貨を硬貨出金振分部７１で硬貨機内リジェクト部６５に収納する。
【００４９】
貨幣処理機１は、保守モードにて、その処理機本体１１内に設けられた図示略の仕様設定スイッチを保守員が切り替えることで、「通常モード」および「後収納モード」のいずれか一方を選択可能となっており、「通常モード」が選択設定されると「通常モード」で動作し、「後収納モード」が選択設定されると「後収納モード」で動作する。
【００５０】
貨幣処理機１が「通常モード」に設定されている場合と、「後収納モード」に設定されている場合とについて、端末機制御部８Ａ，８Ｂと入出金制御部８１との通信を含む処理の流れの一例を図４〜図１４のフローチャートに沿って説明する。まずは、貨幣処理機１が「通常モード」に設定されている場合におけるコマンド信号のシーケンスと貨幣処理機１の動作について説明する。
【００５１】
窓口で入金取引が行われる際、顧客は入金する現金と、その入金金額を記載した入金伝票とをセットで窓口操作員に手渡す。ここでは、具体例として、９９０円の伝票金額が記載された入金伝票を持った顧客がカウンタ４Ａに行き、カウンタ４Ａの窓口操作員Ａに、この入金伝票と、現金としての千円紙幣１枚とを手渡した場合の、端末機制御部８Ａと入出金制御部８１との通信等の流れの一例を説明する。
【００５２】
端末機制御部８Ａは、図４に示すように、窓口操作員Ａによって上位端末機２Ａの端末機操作部５Ａに入金操作が行われると（ステップＳａ１：ＹＥＳ）、端末機表示部６Ａの表示画面を入金画面にする（ステップＳａ２）。窓口操作員Ａは、上位端末機２Ａの端末機操作部５Ａを操作して、この入金画面上の入金取引金額欄に伝票金額、具体的には９９０円を入力し図示略の確定釦を押下する。伝票金額が入力され確定釦が押下される（ステップＳａ３：ＹＥＳ）と、端末機制御部８Ａは、入力された伝票金額、具体的には９９０円を伝票金額データとして確定する（ステップＳａ４）。
【００５３】
この状態で、窓口操作員Ａが端末機操作部５Ａの図示略の入金釦を押下する。すると、この入金釦の押下を受けて（ステップＳａ５：ＹＥＳ）、端末機制御部８Ａは、貨幣処理機１の入出金制御部８１のステータスが「待機中」であるか否かを確認する（ステップＳａ６）。入出金制御部８１のステータスが「待機中」であれば（ステップＳａ６：ＹＥＳ）、上位端末機２Ａで貨幣処理機１を占有するための入金占有コマンド信号を入出金制御部８１に出力する（ステップＳａ７）。入出金制御部８１のステータスが「待機中」でなければ、他局の上位端末機２Ｂが貨幣処理機１を占有している状態等にあるため、ステップＳａ５に戻る。なお、貨幣処理機１は、入出金制御部８１のステータスが「待機中」の場合に限り、端末機操作部５Ａ，５Ｂによる新たな占有が可能になる。
【００５４】
入出金制御部８１は、ステータスが「待機中」の状態で、図７に示すように、入金占有コマンド信号が入力されると（ステップＳｂ１：ＹＥＳ）、上位端末機２Ａ，２Ｂのうち入金占有コマンド信号の出力元である上位端末機２Ａに貨幣処理機１の占有権を与え、貨幣処理機１を上位端末機２Ａによる占有状態にする（ステップＳｂ２）。それと共に、入出金制御部８１は、対応する占有ランプ１６Ａを点灯させて、貨幣処理機１が上位端末機２Ａによる占有状態にあることを表示させ、さらにステータスが「占有中」に状態遷移する（ステップＳｂ２）。そして、入出金制御部８１は、ステータスが「占有中」である旨の通知信号を端末機制御部８Ａに出力する（ステップＳｂ３）。
【００５５】
図１に示す窓口操作員Ａは、貨幣処理機１の自分側の占有ランプ１６Ａが点灯して占有権を取得したことを確認した後に、現金千円紙幣１枚を貨幣処理機１の紙幣入金口２０へセットし、処理機操作部１７Ａの図示略の計数釦を押下する。図７に示すように、計数釦が押下されると（ステップＳｂ４：ＹＥＳ）、入出金制御部８１は、貨幣処理機１での入金処理動作を実行することになる（ステップＳｂ５）。入金処理動作では、図２に示す紙幣処理部１８の紙幣入金口２０が千円紙幣１枚を繰り出すことになり、この紙幣を、紙幣入金識別部２１が千円紙幣１枚であると識別および計数し、紙幣入金振分部２２が紙幣一時貯留部２３へ貯留させる。そして、図７に示すように、この入金計数された入金データである千円紙幣１枚のデータを、通信Ｉ／Ｆを介して上位端末機２Ａの端末機制御部８Ａに通知する（ステップＳｂ６）。
【００５６】
端末機制御部８Ａは、図５に示すように、入金データを受け付けると（ステップＳａ８：ＹＥＳ）、端末機表示部６Ａの入金画面上の入金計数金額欄に、入金データが千円紙幣１枚である旨を表示させる（ステップＳａ９）。それと共に、入金データの入金金額データである１０００円から伝票金額データである９９０円を減算した演算結果である１０円の釣銭額データを端末機表示部６Ａの入金画面上の釣銭金額欄に表示させる（ステップＳａ９）。
【００５７】
窓口操作員Ａが、この入金画面を目視して間違いがないことを確認した後、取引を成立させるために端末機操作部５Ａの図示略の完了キーを押下することになる（ステップＳａ１０：ＹＥＳ）。すると、端末機制御部８Ａは、入金金額データを確定すると共に釣銭額データも確定する（ステップＳａ１１）。
【００５８】
この後、上位端末機２Ａの端末機制御部８Ａおよび貨幣処理機１の入出金制御部８１は、その後の処理を行うことになる。ここでは、まず、その後の処理における端末機制御部８Ａと、「通常モード」の入出金制御部８１との間での通信Ｉ／Ｆでのコマンド信号のシーケンスと貨幣処理機１の動作とについて説明する。
【００５９】
（１）まず、端末機制御部８Ａが入出金制御部８１に入金収納コマンド信号を出力する（ステップＳａ１２）。入出金制御部８１は、図８に示すように、入金収納コマンド信号が入力されると（ステップＳｂ７：ＹＥＳ）、貨幣処理機１で収納処理動作を開始させることになり、ステータスが「収納中」に状態遷移する（ステップＳｂ８）。そして、入出金制御部８１は、ステータスが「収納中」である旨の通知信号を端末機制御部８Ａに出力する（ステップＳｂ９）。収納処理動作では、図２に示す紙幣処理部１８の紙幣一時貯留部２３が一時貯留していた千円紙幣１枚を繰り出すことになり、この紙幣を、紙幣返却振分部３１が紙幣入金識別部２１に案内し、紙幣入金識別部２１が識別および計数して、紙幣入金振分部２２が千円紙幣収納用の紙幣収納部３２へ収納させる。
【００６０】
（２）図８に示すように、収納処理動作が終了すると（ステップＳｂ１０：ＹＥＳ）、入出金制御部８１は、ステータスが「収納終了」に状態遷移し（ステップＳｂ１１）、ステータスが「収納終了」である旨の通知信号を端末機制御部８Ａに出力する（ステップＳｂ１２）。
【００６１】
（３）図５に示すように、ステータスが「収納終了」である旨の通知信号を受けると（ステップＳａ１３：ＹＥＳ）、端末機制御部８Ａは、入金取引に係る占有権を解除すべく入出金制御部８１に占有解除コマンド信号を出力する（ステップＳａ１４）。なお、釣銭額データが０円である場合、すなわち釣銭がない場合、端末機制御部８Ａは、ここまでで、今回の入金処理および収納処理に関する入出金制御部８１への信号の出力を終了する。
【００６２】
入出金制御部８１は、図８に示すように、占有解除コマンド信号が入力されると（ステップＳｂ１３：ＹＥＳ）、占有解除コマンド信号の出力元である上位端末機２Ａに与えた貨幣処理機１の占有権を解除し、占有ランプ１６Ａを消灯させて、ステータスは「待機中」に状態遷移する（ステップＳｂ１４）。そして、入出金制御部８１は、ステータスが「待機中」である旨の通知信号を端末機制御部８Ａに出力する（ステップＳｂ１５）。なお、釣銭額データが０円である場合、入出金制御部８１は、ここまでで、今回の入金処理および収納処理に関する端末機制御部８Ａへの信号の出力を終了する。
【００６３】
（４）釣銭額データが０円ではない場合、すなわち釣銭がある場合、端末機制御部８Ａは、図６に示すように、入出金制御部８１からステータスが「待機中」である旨の通知信号を受けると（ステップＳａ１５：ＹＥＳ）、入出金制御部８１で釣銭出金占有が可能であることを認識して、即座に、出金取引に係る占有権を取得すべく入出金制御部８１に、出金関連コマンド信号である出金占有コマンド信号を出力する（ステップＳａ１６）。
【００６４】
入出金制御部８１は、図９に示すように、出金占有コマンド信号が入力されると（ステップＳｂ１６：ＹＥＳ）、上位端末機２Ａ，２Ｂのうち出金占有コマンド信号の出力元である上位端末機２Ａに貨幣処理機１の占有権を与え、貨幣処理機１を上位端末機２Ａによる占有状態にする（ステップＳｂ１７）。それと共に、入出金制御部８１は、上位端末機２Ａに対応する占有ランプ１６Ａを点灯させて、貨幣処理機１が上位端末機２Ａによる占有状態にあることを表示させると共に、ステータスが「占有中」に状態遷移する（ステップＳｂ１７）。そして、入出金制御部８１は、ステータスが「占有中」である旨の通知信号を端末機制御部８Ａに出力する（ステップＳｂ１８）。
【００６５】
（５）端末機制御部８Ａは、図６に示すように、このステータスが「占有中」の通知を受けると（ステップＳａ１７：ＹＥＳ）、入出金制御部８１で釣銭の出金処理動作が可能であることを認識して、入出金制御部８１に、出金関連コマンド信号である出金コマンド信号を出力する（ステップＳａ１８）。出金コマンド信号には、釣銭額データが含まれることになり、ここでは、「釣銭１０円硬貨１枚」の情報が含まれる。
【００６６】
入出金制御部８１は、図９に示すように、出金コマンド信号が入力されると（ステップＳｂ１９：ＹＥＳ）、貨幣処理機１での出金処理動作を開始すると共に、ステータスが「出金中」に状態遷移し（ステップＳｂ２０）、ステータスが「出金中」である旨の通知信号を端末機制御部８Ａに出力する（ステップＳｂ２１）。この出金処理動作では、釣銭額データを釣銭枚数を最小にする組み合わせで構成する各貨幣の枚数データを出金することになり、ここでは、図３に示す硬貨収納部６６に収納していた１０円硬貨１枚を硬貨計数繰出部６７で繰り出し、硬貨出金識別部７０で識別および計数後、硬貨出金振分部７１の案内で硬貨放出口６２から放出させる。すると、図１に示すように、カルトン配置部１４に配置されてカルトンロック部１５でロックされているカルトン１２が硬貨を受け入れることになる。
【００６７】
（６）入出金制御部８１は、図９に示すように、出金コマンド信号に基づく出金処理動作が終了すると（ステップＳｂ２２：ＹＥＳ）、ステータスが「出金終了」に状態遷移し（ステップＳｂ２３）、ステータスが「出金終了」である旨の通知信号を端末機制御部８Ａに出力する（ステップＳｂ２４）。
【００６８】
（７）端末機制御部８Ａは、図６に示すように、ステータスが「出金終了」である旨の通知信号を受けると（ステップＳａ１９：ＹＥＳ）、釣銭を機外へ放出するために、放出コマンド信号を出力する（ステップＳａ２０：ＹＥＳ）。
【００６９】
入出金制御部８１は、図１０に示すように、放出コマンド信号が入力されると（ステップＳｂ２５：ＹＥＳ）、図１に示すカルトンロック部１５を駆動しカルトンロックを解除して、カルトン１２のカルトン配置部１４からの抜き取りを可能にすると共に、ステータスが「放出中」に状態遷移する（ステップＳｂ２６）。そして、入出金制御部８１は、ステータスが「放出中」である旨の通知信号を端末機制御部８Ａに出力する（ステップＳｂ２７）。
【００７０】
（８）入出金制御部８１は、カルトン１２がカルトン配置部１４から抜き取られたことを図示略のセンサで検知すると（ステップＳｂ２８：ＹＥＳ）、ステータスが「放出終了」に状態遷移し（ステップＳｂ２９）、ステータスが「放出終了」である旨の通知信号を端末機制御部８Ａに出力する（ステップＳｂ３０）。
【００７１】
（９）端末機制御部８Ａは、図６に示すように、ステータスが「放出終了」である旨の通知信号を受け付けると（ステップＳａ２１：ＹＥＳ）、釣銭出金取引に係る占有権を解除すべく入出金制御部８１に占有解除コマンド信号を出力する（ステップＳａ２２）。なお、釣銭がある場合、端末機制御部８Ａは、ここまでで、今回の入金処理、収納処理および釣銭の出金処理に関する入出金制御部８１へのコマンド信号の出力を終了する。
【００７２】
入出金制御部８１は、図１０に示すように、占有解除コマンド信号が入力されると（ステップＳｂ３１：ＹＥＳ）、占有解除コマンド信号の出力元である上位端末機２Ａに与えた貨幣処理機１の占有権を解除し、占有ランプ１６Ａを消灯させて、ステータスは「待機中」に状態遷移する（ステップＳｂ３２）。そして、入出金制御部８１は、ステータスが「待機中」である旨の通知信号を端末機制御部８Ａに出力する（ステップＳｂ３３）。なお、釣銭がある場合、入出金制御部８１は、ここまでで、今回の入金処理、収納処理および釣銭の出金処理に関する端末機制御部８Ａへの信号の出力を終了する。
【００７３】
以上は、貨幣処理機１が「通常モード」に設定されている場合におけるコマンド信号のシーケンスと貨幣処理機１の動作についての説明である。次に、貨幣処理機１が「後収納モード」に設定されている場合におけるコマンド信号のシーケンスと貨幣処理機１の動作について説明する。
【００７４】
「後収納モード」の説明においては、取引金額等の取引にかかる条件設定は先に説明した「通常モード」と同じとし、相違する上位端末機２Ａの端末機制御部８Ａと貨幣処理機１の入出金制御部８１との間での通信Ｉ／Ｆでのコマンド信号のシーケンスと貨幣処理機１の動作について説明する。なお、「後収納モード」においても、貨幣の一時貯留までの、端末機制御部８ＡのステップＳａ１〜Ｓａ１２の流れおよび入出金制御部８１のステップＳｂ１〜Ｓｂ６の流れは、「通常モード」と同様である。
【００７５】
（１ａ）端末機制御部８Ａが、通常モードと同様、図５に示すように入出金制御部８１に入金収納コマンド信号を出力する（ステップＳａ１２）。入出金制御部８１は、図１１に示すように、入金収納コマンド信号が入力されると（ステップＳｃ１：ＹＥＳ）、貨幣処理機１で収納処理動作を開始させることなく、紙幣一時貯留部２３に一時保留されていた千円紙幣１枚の収納処理動作を行わず保留したままとして、ステータスが「収納終了」に状態遷移する（ステップＳｃ２）。そして、入出金制御部８１は、ステータスが「収納終了」である旨の通知信号を、端末機制御部８Ａに出力する（ステップＳｃ３）。なお、この場合、即座にステータスを「収納終了」として通知するのではなく、一旦は便宜上「収納中」とし、その後すぐに「収納終了」として、その旨の通知信号を端末機制御部８Ａに出力するようにしても良い。
【００７６】
（２ａ）端末機制御部８Ａは、図５に示すように、このステータスが「収納終了」である旨の通知信号を受けると（ステップＳａ１３：ＹＥＳ）、入金取引に係る占有権を解除すべく入出金制御部８１に占有解除コマンド信号を出力する（ステップＳａ１４）。入出金制御部８１は、図１１に示すように、占有解除コマンド信号が入力されると（ステップＳｃ４：ＹＥＳ）、占有解除コマンド信号の出力元である上位端末機２Ａに与えた貨幣処理機１の占有権を解除し、占有ランプ１６Ａを消灯させて、ステータスが「待機中」に状態遷移する（ステップＳｃ５）。そして、入出金制御部８１は、ステータスが「待機中」である旨の通知信号を、端末機制御部８Ａに出力する（ステップＳｃ６）。
【００７７】
入出金制御部８１は、ステータスが「待機中」の旨の通知信号を端末機制御部８Ａに出力すると計時を開始し、この計時時間が所定待ち時間の期間内であるか否かを判定し（ステップＳｃ７）、所定待ち時間の期間内である場合には（ステップＳｃ７：ＹＥＳ）、端末機制御部８Ａから出金占有コマンド信号を受信したか否かを判定する（ステップＳｃ８）。すなわち、ステップＳｃ６でステータスが「待機中」である旨の通知信号を端末機制御部８Ａに出力すると、端末機制御部８Ａは、釣銭の出金処理を行う場合、図６に示すように、ステップＳａ１５でこれを受信すると、ステップＳａ１６で出金占有コマンド信号を出力することになるため、これを判定する。なお、この所定待ち時間は、例えば０．１秒や０．３秒や０．５秒や１．０秒というように、端末機制御部８Ａ側のコマンド信号シーケンス速度に適応できるように、予め定められて図示略の記憶部に設定されている。なお、入出金制御部８１は、この所定待ち時間の期間内においては、以下の第１，第２特殊処理を行う。
【００７８】
＜第１特殊処理＞
この所定待ち時間の期間内は、入出金制御部８１は、端末機制御部８Ａから受信した入金収納コマンド信号に対しても、継続して収納処理動作を保留したままとする。
【００７９】
＜第２特殊処理＞
この所定待ち時間の期間内は、他局である貨幣処理機１の相手側（上位端末機２Ｂ側）に対しては、ステータスが「待機中」である旨を通知せず、「他方占有中」のステータスを継続したままとし、この所定待ち時間を過ぎると、他局に対してステータスが「待機中」である旨を通知する。
【００８０】
第１特殊処理は、端末機制御部８Ａで行われる取引処理が入金だけの処理なのか、それとも入金の後に釣銭の出金が行われるのかを判別するために所定待ち時間の期間待つ処理であり、この所定待ち時間内に、端末機制御部８Ａによって自局側の釣銭出金処理が行われるか、つまりは、端末機制御部８ＡがステップＳａ１６で出金占有コマンド信号を出力し、これを受信するか否かを見極める仕組みとなっている。
【００８１】
また、第２特殊処理は、端末機制御部８Ａの制御によって自局側の釣銭の出金処理が行われる場合において、その前に上位端末機２Ｂの端末機制御部８Ｂによって、入金等の取引に係る占有コマンド信号の割り込みを防止する処理である。つまりは、上位端末機２Ａ，２Ｂの２卓において貨幣処理機１がシェアされる形態では、自局側にて入金取引に続いて行われる釣銭出金取引の前に他局側にて取引が割り込まれるのは好ましくないため、それを防止する目的である。
【００８２】
次に、この所定待ち時間の期間内に（ステップＳｃ７：ＹＥＳ）、ステップＳａ１６で端末機制御部８Ａから出力された出金占有コマンド信号を受信した場合（ステップＳｃ８：ＹＥＳ）と、受信しなかった場合（ステップＳｃ７：ＮＯ）とについて、それぞれ説明する。
【００８３】
＜出金占有コマンド信号を受信した場合＞
（３ａ）端末機制御部８Ａからの出金占有コマンド信号を受信した場合（ステップＳｃ８：ＹＥＳ）、入出金制御部８１は、図１２に示すように、貨幣処理機１を上位端末機２Ａによる占有状態にし、これに対応する占有ランプ１６Ａを点灯させて、貨幣処理機１が上位端末機２Ａによる占有状態にあることを表示させると共に、ステータスが「占有中」に状態遷移する（ステップＳｃ９）。そして、入出金制御部８１は、ステータスが「占有中」である旨の通知信号を端末機制御部８Ａに出力する（ステップＳｃ１０）。
【００８４】
（４ａ）端末機制御部８Ａは、図６に示すように、このステータスが「占有中」の通知を受けると（ステップＳａ１７：ＹＥＳ）、入出金制御部８１で釣銭の出金処理動作が可能であることを認識して、入出金制御部８１に釣銭額データである釣銭１０円硬貨１枚の情報を含む出金コマンド信号を出力する（ステップＳａ１８）。
【００８５】
入出金制御部８１は、図１２に示すように、出金コマンド信号が入力されると（ステップＳｃ１１：ＹＥＳ）、貨幣処理機１での出金処理動作を開始すると共に、ステータスが「出金中」に状態遷移し（ステップＳｃ１２）、ステータスが「出金中」である旨の通知信号を端末機制御部８Ａに出力する（ステップＳｃ１３）。この出金処理動作では、図３に示す硬貨収納部６６に収納していた１０円硬貨１枚を硬貨計数繰出部６７で繰り出し、硬貨出金識別部７０で識別および計数後、硬貨出金振分部７１の案内で硬貨放出口６２から放出させる。すると、図１に示すように、カルトン配置部１４に配置されてカルトンロック部１５でロックされているカルトン１２が硬貨を受け入れる。
【００８６】
（５ａ）入出金制御部８１は、図１２に示すように、出金コマンド信号に基づく出金処理動作が終了すると（ステップＳｃ１４：ＹＥＳ）、ステータスが「出金終了」に状態遷移し（ステップＳｃ１５）、ステータスが「出金終了」である旨の通知信号を端末機制御部８Ａに出力する（ステップＳｃ１６）。
【００８７】
（６ａ）端末機制御部８Ａは、図６に示すように、ステータスが「出金終了」である旨の通知信号を受けると（ステップＳａ１９：ＹＥＳ）、釣銭を機外へ放出するために、放出コマンド信号を出力する（ステップＳａ２０）。入出金制御部８１は、図１３に示すように、放出コマンド信号が入力されると（ステップＳｃ１７：ＹＥＳ）、カルトンロック部１５を駆動しカルトンロックを解除して、カルトン１２のカルトン配置部１４からの抜き取りを可能にすると共に、ステータスが「放出中」に状態遷移する（ステップＳｃ１８）。そして、入出金制御部８１は、ステータスが「放出中」である旨の通知信号を端末機制御部８Ａに出力する（ステップＳｃ１９）。
【００８８】
（７ａ）入出金制御部８１は、カルトン１２がカルトン配置部１４から抜き取られたことを図示略のセンサで検知すると（ステップＳｃ２０：ＹＥＳ）、ステータスが「放出終了」に状態遷移し（ステップＳｃ２１）、ステータスが「放出終了」である旨の通知信号を端末機制御部８Ａに出力する（ステップＳｃ２２）。
【００８９】
（８ａ）端末機制御部８Ａは、図６に示すように、ステータスが「放出終了」である旨の通知信号を受け付けると（ステップＳａ２１：ＹＥＳ）、釣銭の出金取引に係る占有権を解除すべく入出金制御部８１に占有解除コマンド信号を出力する（ステップＳａ２２）。入出金制御部８１は、図１３に示すように、占有解除コマンド信号が入力されると（ステップＳｃ２３：ＹＥＳ）、占有解除コマンド信号の出力元である上位端末機２Ａに与えた貨幣処理機１の占有権を解除し、占有ランプ１６Ａを消灯させて、ステータスが「待機中」に状態遷移する（ステップＳｃ２４）。そして、入出金制御部８１は、ステータスが「待機中」である旨の通知信号を端末機制御部８Ａに出力する（ステップＳｃ２５）。
【００９０】
（９ａ）続いて、入出金制御部８１は、図１４に示すように、保留しておいた「収納処理」を実行する。すなわち、入出金制御部８１は、貨幣処理機１で収納処理動作を開始させることになる（ステップＳｃ２６）。このとき、入出金制御部８１は、ステータスが「ローカル中」に状態遷移することになり（ステップＳｃ２６）、ステータスが「ローカル中」である旨の通知信号を端末機制御部８Ａに出力する（ステップＳｃ２７）。なお、貨幣処理機１は、入出金制御部８１のステータスが「ローカル中」の場合、上位端末機２Ａ，２Ｂのいずれによる占有も不可となる。収納処理動作では、図２に示す紙幣処理部１８の紙幣一時貯留部２３が一時貯留していた千円紙幣１枚を繰り出すことになり、この紙幣を、紙幣返却振分部３１が紙幣入金識別部２１に案内し、紙幣入金識別部２１が識別および計数して、紙幣入金振分部２２が千円紙幣収納用の紙幣収納部３２へ収納させる。
【００９１】
（１０ａ）図１４に示すように、収納処理が終了すると（ステップＳｃ２８：ＹＥＳ）、入出金制御部８１のステータスは「待機中」に状態遷移し（ステップＳｃ２９）、ステータスが「待機中」である旨の通知信号を端末機制御部８Ａに出力する（ステップＳｃ３０）。
以上で、終了となる。
【００９２】
以上により、後収納モードにおいて、入出金制御部８１は、入金収納コマンド信号を上位端末機２Ａ，２Ｂのうちの貨幣処理機１を占有しているものから受信すると、予め設定された所定待ち時間の期間、収納処理動作を保留すると共に次の出金指示に係る出金占有コマンド信号の受信の有無を確認し、出金占有コマンド信号の受信があった場合には、この出金占有コマンド信号の後に受信する出金コマンド信号による出金処理動作を優先して実行し、この出金処理動作が終了した後に、収納処理動作を実行する。
【００９３】
また、上位端末機２Ａ，２Ｂに貨幣処理機１がシェアされることになるが、貨幣処理機１の入出金制御部８１は、取引操作の対象外となる上位端末機に対して、所定待ち時間の期間、他方占有中のステータスを通知して取引不可とする。
【００９４】
＜出金占有コマンド信号を受信しなかった場合＞
（３ｂ）所定の待ち時間の期間内に端末機制御部８Ａからの出金占有コマンド信号を受信しなかった場合（ステップＳｃ７：ＮＯ）、入出金制御部８１は、取引が入金のみであったと判断して、保留しておいた「収納処理動作」を実行する。すなわち、入出金制御部８１は、貨幣処理機１で収納処理動作を開始させることになり、ステータスが「ローカル中」に状態遷移して（ステップＳｃ２６）、ステータスが「ローカル中」である旨の通知信号を端末機制御部８Ａに出力する（ステップＳｃ２７）。収納処理動作では、図２に示す紙幣処理部１８の紙幣一時貯留部２３が一時貯留していた千円紙幣１枚を繰り出すことになり、この紙幣を、紙幣返却振分部３１が紙幣入金識別部２１に案内し、紙幣入金識別部２１が識別および計数して、紙幣入金振分部２２が千円紙幣収納用の紙幣収納部３２へ収納させる。
【００９５】
（４ｂ）入出金制御部８１は、図１４に示すように、収納処理動作が終了すると（ステップＳｃ２８：ＹＥＳ）、ステータスが「待機中」に状態遷移し（ステップＳｃ２９）、ステータスが「待機中」である旨の通知信号を端末機制御部８Ａに出力する（ステップＳｃ３０）。
以上で、終了となる。
【００９６】
以上が「通常モード」と「後収納モード」との比較説明であるが、図４〜図６に示すように、端末機制御部８Ａ側のコマンド信号シーケンスは、「通常モード」と「後収納モード」とで同じである。しかしながら、「後収納モード」は入出金制御部８１の応答シーケンスと取引動作に「通常モード」との相違がある。より具体的には、「後収納モード」では、釣銭の出金がある場合には収納処理動作を最初の段階から一旦保留して、釣銭の出金処理動作を先に実行するという制御を入出金制御部８１で行う。この制御によって、「通常モード」での釣銭の出金取引の占有解除のタイミングよりも、「後収納モード」での釣銭の出金取引の占有解除のタイミングの方が早くなる。つまり、この制御内容によって、釣銭の出金処理の終了を早めて、釣銭のある取引において顧客を待たせる時間を短縮することができる。
【００９７】
以上に述べた本実施形態の貨幣処理機１によれば、入出金制御部８１は、上位端末機２Ａ，２Ｂのうちの貨幣処理機１を占有しているものから入金収納コマンド信号を受信すると、予め設定された所定待ち時間の期間、収納処理動作を保留すると共に次の出金指示に係る出金占有コマンド信号の受信の有無を確認し、出金占有コマンド信号があった場合には、これに続いて受信する出金コマンド信号による出金処理動作を優先して実行し、この出金処理動作が終了した後に、収納処理動作を実行する。よって、出金された貨幣を受けとるための顧客の待ち時間を短縮できるようになる。例えば、釣銭の払い出しや両替処理の場合、収納処理動作は後送りして先に貨幣の出金処理動作を実行するので、出金された貨幣を受けとるための顧客の待ち時間を短縮できるようになる。
【００９８】
また、上位端末機２Ａ，２Ｂ側のコマンド信号のシーケンスを変更せず、貨幣処理機１側の制御シーケンスを変更すれば良いので、上位端末機２Ａ，２Ｂを含む現金処理システム３の全体での開発工数を低減することが可能となる。つまり、現金処理システム３の全体での開発工数を大きくすることなく比較的に簡易に、釣銭のある取引において顧客を待たせる時間を短縮できるようになる。
【００９９】
また、上位端末機２Ａ，２Ｂに貨幣処理機１がシェアされることになるが、貨幣処理機１の入出金制御部８１は、取引操作の対象外となる上位端末機に対して、所定待ち時間の期間、他方占有中のステータスを通知して取引不可とする。このため、上位端末機２Ａ，２Ｂの一方との取引が完結する前に、他方から割り込まれることを防止できる。すなわち、貨幣処理機１が複数台の上位端末機２Ａ，２Ｂでシェアされる形態において、入金と釣銭出金との間や、入金と両替出金との間に、つまり、まだ自局の取引が完結する前に、他局から割り込まれることを防止できるようになる。
【０１００】
次に、上記した実施形態の「後収納モード」の変形例１について以下に説明する。
【０１０１】
上記した実施形態の「後収納モード」では、所定待ち時間は、例えば０．１秒や０．３秒や０．５秒や１．０秒というように、端末機制御部８Ａ，８Ｂ側のコマンド信号シーケンス速度に適応できるように、予め定められて記憶部に設定されている旨説明した。変形例１では、この所定待ち時間は一部は活用するものの、実施形態とは相違して、収納処理については保留せずに即座に収納処理を実行するようにする。変形例１では、収納処理開始に対し遅れて端末機制御部８Ａからの出金占有コマンド信号を受信した場合は、その時点を以て収納処理を一旦中断して、釣銭の出金処理を優先させるように制御する。変形例１において上記実施形態とは相違する上位端末機２Ａの端末機制御部８Ａと貨幣処理機１の入出金制御部８１との間での通信Ｉ／Ｆでのコマンド信号のシーケンスと貨幣処理機１の動作について、以下に説明する。
【０１０２】
（１ａ）通常モードと同様に、端末機制御部８Ａが入出金制御部８１に入金収納コマンド信号を出力する。入出金制御部８１は、入金収納コマンド信号が入力されると、紙幣一時貯留部２３に一時保留されていた紙幣の収納処理動作を開始させると共に、ステータスが「収納終了」に状態遷移して、ステータスが「収納終了」である旨の通知信号を、端末機制御部８Ａに出力する。なお、即座にステータスを「収納終了」として通知するのではなく、一旦は便宜上「収納中」とし、その後すぐに「収納終了」として、その旨の通知信号を端末機制御部８Ａに出力するようにしても良い。
【０１０３】
（２ａ）このステータスが「収納終了」である旨の通知信号を受けると、端末機制御部８Ａは、入金取引に係る占有権を解除すべく入出金制御部８１に占有解除コマンド信号を出力する。占有解除コマンド信号が入力されると、入出金制御部８１は、占有解除コマンド信号の出力元である上位端末機２Ａに与えた貨幣処理機１の占有権を解除し、占有ランプ１６Ａを消灯させて、ステータスは「待機中」に状態遷移する。そして、入出金制御部８１は、ステータスが「待機中」である旨の通知信号を、端末機制御部８Ａに出力する。
【０１０４】
入出金制御部８１は、ステータスが「待機中」の旨の通知信号を端末機制御部８Ａに出力すると、所定待ち時間の期間内であるか否かを判定し、所定待ち時間の期間内である場合には、端末機制御部８Ａから出金占有コマンド信号を受信したか否かを判定する。すなわち、ステータスが「待機中」である旨の通知信号を端末機制御部８Ａに出力すると、端末機制御部８Ａは、釣銭の出金処理を行う場合、出金占有コマンド信号を出力することになるため、これを判定する。なお、この所定待ち時間は、例えば０．１秒や０．３秒や０．５秒や１．０秒というように、端末機制御部８Ａ側のコマンド信号シーケンス速度に適応できるように、予め定められて図示略の記憶部に設定されている。なお、入出金制御部８１は、この所定待ち時間の期間内においては、以下の特殊処理を行う。
【０１０５】
＜特殊処理＞
この所定待ち時間の期間内は、他局側（上位端末機２Ｂ側）に対しては「他方占有中」のステータスを継続したままとして「待機中」に状態遷移は行わない。これは、端末機制御部８Ａによって自局側（上位端末機２Ａ側）の釣銭の出金処理が行われる場合において、その前に上位端末機２Ａの端末機制御部８Ａによって、入金等の取引に係る占有コマンド信号の割り込みを防止する目的である。つまりは、上位端末機２Ａ，２Ｂの２卓において貨幣処理機１がシェアされる形態では、自局側にて入金取引に続いて行われる釣銭出金取引の前に他局側にて取引が割り込まれるのは好ましくないため、それを防止する目的である。
【０１０６】
この所定待ち時間の期間内に、端末機制御部８Ａから出力された出金占有コマンド信号を受信した場合と、受信しなかった場合とを、分けて説明する。
【０１０７】
＜出金占有コマンド信号を受信した場合＞
（３ａ）所定待ち時間の期間内に、端末機制御部８Ａからの出金占有コマンド信号を受信した場合、入出金制御部８１は、貨幣処理機１を上位端末機２Ａによる占有状態にし、これに対応する占有ランプ１６Ａを点灯させて、貨幣処理機１が上位端末機２Ａによる占有状態にあることを表示させると共に、ステータスが「占有中」に状態遷移する。そして、入出金制御部８１は、ステータスが「占有中」である旨の通知信号を端末機制御部８Ａに出力する。そして、さらに、入出金制御部８１は、紙幣一時貯留部２３から紙幣収納部３２への収納処理動作を中断する。
【０１０８】
（４ａ）このステータスが「占有中」の通知を受けると、端末機制御部８Ａは、入出金制御部８１で釣銭の出金処理動作が可能であることを認識して、入出金制御部８１に釣銭１０円硬貨１枚の情報を含む出金コマンド信号を出力する。入出金制御部８１は、出金コマンド信号が入力されると、貨幣処理機１での出金処理動作を開始すると共に、ステータスが「出金中」に状態遷移し、ステータスが「出金中」である旨の通知信号を端末機制御部８Ａに出力する。この出金処理動作では、貨幣処理機１は、硬貨収納部６６に収納されていた１０円硬貨１枚を硬貨放出口６２からカルトン１２に放出させる。
【０１０９】
（５ａ）入出金制御部８１は、出金コマンド信号に基づく出金処理動作が終了すると、ステータスが「出金終了」に状態遷移し、ステータスが「出金終了」である旨の通知信号を端末機制御部８Ａに出力する。
【０１１０】
（６ａ）ステータスが「出金終了」である旨の通知信号を受けると、端末機制御部８Ａは、釣銭を機外へ放出するために、放出コマンド信号を出力する。放出コマンド信号が入力されると、入出金制御部８１は、カルトンロック部１５を駆動しカルトンロックを解除して、カルトン１２のカルトン配置部１４からの抜き取りを可能にすると共に、ステータスが「放出中」に状態遷移する。そして、入出金制御部８１は、ステータスが「放出中」である旨の通知信号を端末機制御部８Ａに出力する。
【０１１１】
（７ａ）入出金制御部８１は、カルトン１２がカルトン配置部１４から抜き取られたことを図示略のセンサで検知すると、ステータスが「放出終了」に状態遷移し、ステータスが「放出終了」である旨の通知信号を端末機制御部８Ａに出力する。
【０１１２】
（８ａ）ステータスが「放出終了」である旨の通知信号を受け付けると、端末機制御部８Ａは、釣銭出金取引に係る占有権を解除すべく入出金制御部８１に占有解除コマンド信号を出力する。占有解除コマンド信号が入力されると、入出金制御部８１は、占有解除コマンド信号の出力元である上位端末機２Ａに与えた貨幣処理機１の占有権を解除し、占有ランプ１６Ａを消灯させて、ステータスが「待機中」に状態遷移する。そして、入出金制御部８１は、ステータスが「待機中」である旨の通知信号を端末機制御部８Ａに出力する。
【０１１３】
（９ａ）入出金制御部８１は、中断しておいた「収納処理」を実行する。すなわち、入出金制御部８１は、貨幣処理機１で収納処理動作を再開させることになり、ステータスが「ローカル中」に状態遷移して、ステータスが「ローカル中」である旨の通知信号を端末機制御部８Ａに出力する。収納処理動作では、紙幣一時貯留部２３に一時保留されていた紙幣を搬送させて、対応する紙幣収納部３２へ収納させる。
【０１１４】
（１０ａ）収納処理が終了すると、入出金制御部８１のステータスは「待機中」に状態遷移し、ステータスが「待機中」である旨の通知信号を端末機制御部８Ａに出力する。
以上で、終了となる。
【０１１５】
以上により、入出金制御部８１は、入金収納コマンド信号を上位端末機２Ａ，２Ｂのうちの貨幣処理機１を占有しているものから受信すると、収納処理動作を実行すると共に、次の出金指示に係る出金占有コマンド信号の受信の有無を確認し、出金占有コマンド信号の受信があった場合には、収納処理動作を中断し、その後に受信する出金コマンド信号による出金処理動作を優先して実行し、この出金処理動作が終了した後に、収納処理動作を再開して実行する。
【０１１６】
＜出金占有コマンド信号を受信しなかった場合＞
（３ｂ）所定待ち時間の期間内に、出金占有コマンド信号を受信しなかった場合、入出金制御部８１は、取引が入金のみであったと判断して、「収納処理動作」を継続して実行する。すなわち、入出金制御部８１は、貨幣処理機１で収納処理動作を継続させることになり、ステータスが「ローカル中」に状態遷移して、ステータスが「ローカル中」である旨の通知信号を端末機制御部８Ａに出力する。収納処理動作では、紙幣一時貯留部２３に一時保留されていた紙幣を搬送させて、対応する紙幣収納部３２へ収納させる。
【０１１７】
（４ｂ）収納処理動作が終了すると、入出金制御部８１のステータスは「待機中」に状態遷移し、ステータスが「待機中」である旨の通知信号を端末機制御部８Ａに出力する。
以上で、終了となる。
【０１１８】
以上に述べた変形例１によれば、入出金制御部８１は、上位端末機２Ａ，２Ｂのうちの貨幣処理機１を占有しているものから入金収納コマンド信号を受信すると、収納処理動作を実行すると共に、次の出金指示に係る出金占有コマンド信号の受信の有無を確認し、出金占有コマンド信号があった場合には、収納処理動作を中断し、その後に受信する出金コマンド信号による出金処理動作を優先して実行し、この出金処理動作が終了した後に、収納処理動作を再開する。よって、出金された貨幣を受けとるための顧客の待ち時間を短縮できるようになる。すなわち、釣銭の払い出しや両替処理の場合、収納処理動作は後送りして先に貨幣の出金処理動作を実行するので、出金された貨幣を受けとるための顧客の待ち時間を短縮できるようになる。
【０１１９】
また、上位端末機２Ａ，２Ｂ側のコマンド信号のシーケンスを変更せず、貨幣処理機１側の制御シーケンスを変更すれば良いので、上位端末機２Ａ，２Ｂを含む現金処理システム３の全体での開発工数を低減することが可能となる。つまり、現金処理システム３の全体での開発工数を大きくすることなく比較的に簡易に、釣銭のある取引において顧客を待たせる時間を短縮できるようになる。さらに、出金コマンド信号の受信を待機する間に収納処理動作を進めておくことができるため、出金処理動作が終了した後に再開される収納処理動作に要する時間を短くすることができる。
【０１２０】
次に、「後収納モード」の変形例２について以下に説明する。
【０１２１】
実施形態の「後収納モード」では、所定待ち時間を要件として使用する形態で説明したが、これを使わずに、端末機制御部８Ａ側で別の対応を行う方法もある。要は、入出金制御部８１では、端末機制御部８Ａからの入金収納コマンド信号の後に釣銭の出金コマンド信号が出力されるか否か、つまり釣銭の出金処理動作が伴うか、釣銭の出金処理動作が伴わず収納処理動作で終わるかが判別できれば良い。このため、コマンド信号のシ−ケンスまでは変更せず、その旨、端末機制御部８Ａ側で入金収納コマンド信号を使い分ければ良いことになる。
【０１２２】
一例としては、上位端末機２Ａの端末機操作部５Ａで完了キーが押下されて、入金金額データが確定すると共に釣銭額データも確定した際に、端末機制御部８Ａは入出金制御部８１に対して、釣銭の出金処理動作が伴う場合には「釣銭ありの入金収納コマンド信号」を、また釣銭の出金処理動作が伴わない場合には「通常の入金収納コマンド信号」を出力するようにすれば良い。これによって、入出金制御部８１は上記したように、「釣銭ありの収納コマンド信号」を受信した際には、その後に釣銭の出金コマンド信号が入力されることが判っているので、所定待ち時間の経過を観ることなく、即座に、収納処理動作を保留としたままとし、その後の釣銭の出金コマンド信号が入力された際に釣銭の出金処理動作を先に実行する。また、逆に、「通常の収納コマンド信号」を受信した際には、その後に釣銭の出金コマンド信号が入力されないことが判っているので、所定待ち時間の経過を観ることなく、即座に、収納処理動作を実行する。むろん、上記した端末機制御部８Ａ側で入金収納コマンド信号を使い分ける際の「釣銭ありの収納コマンド信号」の表現は一例であり、これに替えて、釣銭の後に収納を指示する意味の「後収納コマンド信号」という表現であっても同じである。
【０１２３】
以上により、入出金制御部８１は、上位端末機２Ａ，２Ｂのうちの貨幣処理機１を占有しているものから釣銭ありの入金収納コマンド信号を受信すると、収納処理動作を保留すると共に、次の出金指示に係る出金占有コマンド信号の受信の有無を確認し、出金占有コマンド信号を受信があった場合には、その後に受信する出金コマンド信号による出金処理動作を優先して実行し、この出金処理動作が終了した後に、収納処理動作を実行する。
【０１２４】
以上に述べた変形例２によれば、入出金制御部８１は、上位端末機２Ａ，２Ｂのうちの貨幣処理機１を占有しているものから釣銭ありの入金収納コマンド信号を受信すると、収納処理動作を保留すると共に次の出金指示に係る出金占有コマンド信号の受信の有無を確認し、出金占有コマンド信号の受信があった場合には、その後に受信する出金コマンド信号による出金処理動作を優先して実行し、この出金処理動作が終了した後に、収納処理動作を実行する。よって、出金された貨幣を受けとるための顧客の待ち時間を短縮できるようになる。すなわち、釣銭の払い出しや両替処理の場合、収納処理動作は後送りして先に貨幣の出金処理動作を実行するので、出金された貨幣を受けとるための顧客の待ち時間を短縮できるようになる。
【０１２５】
また、上位端末機２Ａ，２Ｂ側のコマンド信号のシーケンスを変更せず、貨幣処理機１側の制御シーケンスを変更すれば良いので、上位端末機２Ａ，２Ｂを含む現金処理システム３の全体での開発工数を低減することが可能となる。つまり、現金処理システム３の全体での開発工数を大きくすることなく比較的に簡易に、釣銭のある取引において顧客を待たせる時間を短縮できるようになる。
【０１２６】
以上、実施形態の「後収納モード」およびその変形例１，２について説明したが、いずれもが、釣銭の出金処理動作を優先して収納処理動作を後処理として行うことが特徴である。ここで、「後収納モード」による収納動作中のステータスを「ローカル中」に状態遷移する旨説明したが、これに限らず当該ステータスを「待機中」に状態遷移するようにしても良い。つまり、この場合には、当該ステータスが「待機中」である為、他局の上位端末機での占有権取得の割り込みを許可出来るようになる。上位端末機２Ａ側で入金処理が行われ、その後の釣銭の出金処理が行われて、一旦収納処理動作を保留または中断し、釣銭の出金処理が終わったタイミングで、上位端末機２Ｂ側で出金処理が行われた場合には、入出金制御部８１の制御方法として、当該上位端末機２Ｂ側での占有権取得の割り込みを許可出来ているので出金処理動作を優先して行うようにして、前記した一旦保留または中断した上位端末機２Ａ側の収納処理動作を、さらに一旦保留または中断して後送りするようにしても良い。
【０１２７】
また、さらには、入金処理によっては、入金した貨幣が紙幣一時貯留部２３あるいは硬貨一時貯留部５３でフル状態となって、それ以上入金計数できない状態が発生する場合も存在する。その状態において端末機制御部８Ａから入金収納コマンド信号を受信した際には、入出金制御部８１の制御方法として、紙幣入金口２０および硬貨入金口５０のうち、フルの一時貯留部に対応するものの貨幣残留情報を貨幣入金口センサで検知して、残留貨幣がない場合には、収納後の追加入金計数がないものとみなして、普通に前記した「後収納モード」を行えば良い。また、逆に残留貨幣がある場合には、収納後の追加入金計数があるものとみなして、今回のフルの一時貯留部のフル分の貨幣を収納する収納処理動作に限っては特殊処理として、前記した「通常モード」の制御を行い、収納処理動作終了後の追加入金計数した状態が一時貯留部をフルとしない状態において、端末機制御部８Ａから入金収納コマンド信号を受信した際には、前記した「後収納モード」を行うようにすれば良い。
【０１２８】
要は、「後収納モード」とは、収納処理動作を出金処理動作に対し後送りにして、入出金制御部８１のステータスが「ローカル中」に、バックグラウンドで収納処理動作を行う制御である。このため、「後収納モード」では、出金処理動作前に、入金計数動作が完了、即ち、収納処理動作して入金取引が完了する入金貨幣を確定しておく必要がある。
【０１２９】
なお、実施形態においては、貨幣処理機１として紙幣一時貯留部２３および硬貨一時貯留部５３を備えた窓口入出金装置を例にとって説明したが、これに限らず、紙幣一時貯留部および硬貨一時貯留部を備えた出納機であっても良いし、紙幣一時貯留部および硬貨一時貯留部を備えた釣銭機等であっても同様である。要は、紙幣一時貯留部および硬貨一時貯留部の貨幣の収納処理動作を一旦保留または中断する制御を行うことができれば、貨幣処理機全てが適用範囲となる。また、貨幣処理機の形態は、入出金の並行処理が可能なタイプであっても、不可能なタイプであっても不問である。要は、入出金並行処理の制御がサポートされていなく、必ず入金処理の後に釣銭の出金処理となるコマンド信号シーケンスの上位端末機であっても、上述したように、貨幣処理機側のコマンド信号シーケンスを変えて、「後収納モード」が実現できれば良いことになる。
【０１３０】
また、実施形態として、入金貨幣が千円紙幣１枚であり、釣銭貨幣が１０円硬貨１枚の場合を例として説明したが、むろん、これに限らず、入金貨幣及び釣銭貨幣は、紙幣と硬貨、もしくは紙幣のみ、硬貨のみのいずれの組み合わせの場合であっても、制御内容は同様であって適用される。
【０１３１】
また、実施形態では、窓口入出金装置は２台の上位端末機２Ａ，２Ｂによってシェアされる２卓接続の運用形態として説明したが、むろん、１台の上位端末機のみで使用される１卓接続の運用形態であっても良い。この場合には、自局の上位端末機での入金処理と釣銭処理の間に、他局の上位端末機での占有権取得の割り込み自体が発生することがなくなるので、実施形態の「後収納モード」における＜第２特殊処理＞を行う必要がなくなり、また、「後収納モード」の変形例１においても＜特殊処理＞を行う必要がなくなる。なお、出金指示に係るコマンド信号は、２卓接続の場合は「占有コマンド信号」が普通であるが、１卓接続の場合は、占有の概念無しで、いきなりの「出金計数コマンド信号」であっても良い。
【０１３２】
さらに、実施形態では、入金処理の後の出金処理を釣銭の出金処理として説明したが、釣銭の出金処理に限らず両替の出金であっても同じことである。一例として、千円紙幣１枚を入金して１００円硬貨１０枚を出金する正両替処理や、１００円硬貨１０枚を入金して千円紙幣１枚を出金する逆両替処理であっても、同様に適用されて、出金された貨幣を受けとるために顧客を待たせる時間を短縮できる効果を奏する。
【符号の説明】
【０１３３】
１  貨幣処理機
２Ａ，２Ｂ  上位端末機
２０  紙幣入金口
２３  紙幣一時貯留部
３２  紙幣収納部
５０  硬貨入金口
５３  硬貨一時貯留部
６６  硬貨収納部
８１  入出金制御部
【図１】
2020187629.tif 000003
【図２】
2020187629.tif 000004
【図３】
2020187629.tif 000005
【図４】
2020187629.tif 000006
【図５】
2020187629.tif 000007
【図６】
2020187629.tif 000008
【図７】
2020187629.tif 000009
【図８】
2020187629.tif 000010
【図９】
2020187629.tif 000011
【図１０】
2020187629.tif 000012
【図１１】
2020187629.tif 000013
【図１２】
2020187629.tif 000014
【図１３】
2020187629.tif 000015
【図１４】
2020187629.tif 000016